(57)【要約】【課題】医療用モニタの代替として民生用モニタを使用した際に、色バランスの調整を容易かつ低コストに行うことを可能とする電子内視鏡用プロセッサ装置を提供する。【解決手段】民生用モニタ２１の検査を行う検査モード時に、ＣＰＵ５０は、まず、第１〜第３スイッチ回路５７ａ〜５７ｃを制御し、検査画像記憶メモリ５４に記憶された検査画像を画像表示制御回路５３を介して民生用モニタ２１に表示させ、この表示画面を電子内視鏡１０で撮像した結果、画像処理回路５２から出力された画像と、検査画像記憶メモリ５４に記憶された検査画像とを色バランス判定回路５５に入力して色バランスのずれ量を算出させる。次いで、色バランス判定回路５５により算出された色バランスのずれ量に基づいて画像処理回路５２を制御することにより色バランスの調整を行う。【選択図】図３
2010051634.tif 000002
【特許請求の範囲】
【請求項１】
電子内視鏡から入力された画像に画像処理を施す画像処理手段と、
前記画像処理手段により画像処理が施された画像をモニタに表示させる画像表示制御手段と、
検査画像を記憶した検査画像記憶手段と、
２つの画像を比較して色バランスのずれ量を算出する色バランス判定手段と、
前記画像処理手段、前記画像表示制御手段、及び前記色バランス判定手段の間の接続状態を変更するスイッチ手段と、
前記スイッチ手段を制御し、前記検査画像記憶手段に記憶された検査画像を前記画像表示制御手段を介して前記モニタに表示させ、この表示画面を前記電子内視鏡で撮像した結果、前記画像処理手段から出力された画像と、前記検査画像記憶手段に記憶された検査画像とを前記色バランス判定手段に入力して色バランスのずれ量を算出させる第１ステップと、前記第１ステップにて算出された色バランスのずれ量に基づいて前記画像処理手段を制御することにより色バランスの調整を行う第２ステップとを実行する制御手段と、
を備えたことを特徴とする電子内視鏡用プロセッサ装置。
【請求項２】
前記色バランス判定手段により算出されたずれ量を調整データとして記憶する調整データ記憶手段を備え、前記制御手段は、電源がオフとされた際に、前記調整データ記憶手段に記憶された調整データを消去することを特徴とする請求項１に記載の電子内視鏡用プロセッサ装置。
【請求項３】
前記モニタが使用不可能であるか否かを報知する報知手段を備え、
前記制御手段は、前記第１ステップにて算出された色バランスのずれ量が所定値以下であるか否かを判定し、前記ずれ量が所定値以下の場合には、前記第２ステップを実行し、前記ずれ量が所定値より大きい場合に、前記モニタが使用不可能である旨を前記報知手段に報知させることを特徴とする請求項１または２に記載の電子内視鏡用プロセッサ装置。
【発明の詳細な説明】
【技術分野】
【０００１】
本発明は、電子内視鏡（スコープ）により得られる画像信号を画像処理してモニタに出力する電子内視鏡用プロセッサ装置に関するものである。
【背景技術】
【０００２】
医療分野において、電子内視鏡システムを利用した医療診断が盛んに行われている。電子内視鏡システムは、体腔内へ挿入される挿入部を備えた電子内視鏡（スコープ）と、電子内視鏡が着脱自在に接続され、電子内視鏡に内蔵された固体撮像素子から画像信号（以下、単に画像という）を受信して画像処理を行い、観察画像をモニタに出力するプロセッサ装置とを備える。電子内視鏡システムは、体腔内に挿入部を挿入することにより、食道、胃、小腸、大腸などの消化管や肺の気管等を観察することができる。
【０００３】
電子内視鏡システムでは、被検体の高精細な画像を表示するために医療用モニタが用いられており、この医療用モニタは高価であるため、故障した場合に、代替の医療用モニタを容易に確保できないことがある。このため、診断時に医療用モニタが故障した場合には、診断中の患者を長時間にわたって待たせるなど、最悪な事態に至ることがある。
【０００４】
そこで、医療用モニタの他に、パーソナルコンピュータ用などの民生用モニタも使用可能とした電子内視鏡システムが知られている（例えば、特許文献１、２参照）。この電子内視鏡システムでは、医療用モニタが故障した場合に、代替用として容易に確保可能な民生用モニタを使用することにより、最悪な事態を回避することができる。
【０００５】
しかし、医療用モニタの代替として民生用モニタを使用すると、民生用モニタは、その性能や設定の差異により、医療用モニタとは色バランスが異なることがある。この色バランスの差異が大きい場合には、医師は、患部等の被検体の色を誤認識してしまい、最悪の場合には、医療ミスを起こしてしまう。
【０００６】
特許文献３には、電子内視鏡システムの色調整を容易に行うことを可能とする電子内視鏡システムが開示されている。この電子内視鏡システムでは、まず、基準チャートを撮像し、この撮像結果に基づき電子内視鏡からプロセッサ装置内のカメラコントロールユニット（ＣＣＵ）までの色調整を行う。その後、モニタに検査画像を表示し、この画面を電子内視鏡で撮像し、この撮像結果を元に、画像を表示用画像に変換するエンコーダ及びモニタの色調整を行う。
【特許文献１】特開２００１−２１８７３４号公報
【特許文献２】特開２００１−１９７４８８号公報
【特許文献３】特開平８−１５２５６６号公報
【発明の開示】
【発明が解決しようとする課題】
【０００７】
しかしながら、特許文献３に記載の電子内視鏡システムでは、色バランスを所定値とするようにエンコーダ及びモニタの調整を行っているため、モニタに色バランスの調整機能が備わっていることが前提となっており、色バランスの調整機能がない民生用モニタを適用することができない。通常、民生用モニタには、色バランスの調整機能はなく、色温度の切り替えのみが可能となっている。
【０００８】
また、通常の電子内視鏡システムでは、モニタに表示するための表示用画像信号を生成するエンコーダには、色バランスの調整機能が備わっていないため、エンコーダで色バランスの調整を行うように構成すると、コストが向上するといった問題がある。
【０００９】
本発明は、上記課題を鑑みてなされたものであり、医療用モニタの代替として民生用モニタを使用した際に、色バランスの調整を容易かつ低コストに行うことができる電子内視鏡用プロセッサ装置を提供することを目的とする。
【課題を解決するための手段】
【００１０】
上記目的を達成するために、本発明の電子内視鏡用プロセッサ装置は、電子内視鏡から入力された画像に画像処理を施す画像処理手段と、前記画像処理手段により画像処理が施された画像をモニタに表示させる画像表示制御手段と、検査画像を記憶した検査画像記憶手段と、２つの画像を比較して色バランスのずれ量を算出する色バランス判定手段と、前記画像処理手段、前記画像表示制御手段、及び前記色バランス判定手段の間の接続状態を変更するスイッチ手段と、前記スイッチ手段を制御し、前記検査画像記憶手段に記憶された検査画像を前記画像表示制御手段を介して前記モニタに表示させ、この表示画面を前記電子内視鏡で撮像した結果、前記画像処理手段から出力された画像と、前記検査画像記憶手段に記憶された検査画像とを前記色バランス判定手段に入力して色バランスのずれ量を算出させる第１ステップと、前記第１ステップにて算出された色バランスのずれ量に基づいて前記画像処理手段を制御することにより色バランスの調整を行う第２ステップとを実行する制御手段と、を備えたことを特徴とする。
【００１１】
なお、前記色バランス判定手段により算出されたずれ量を調整データとして記憶する調整データ記憶手段を備え、前記制御手段は、電源がオフとされた際に、前記調整データ記憶手段に記憶された調整データを消去することが好ましい。
【００１２】
また、前記モニタが使用不可能であるか否かを報知する報知手段を備え、前記制御手段は、前記第１ステップにて算出された色バランスのずれ量が所定値以下であるか否かを判定し、前記ずれ量が所定値以下の場合には、前記第２ステップを実行し、前記ずれ量が所定値より大きい場合に、前記モニタが使用不可能である旨を前記報知手段に報知させることが好ましい。
【発明の効果】
【００１３】
本発明の電子内視鏡用プロセッサ装置は、医療用モニタの代替として民生用モニタを使用した際に、色バランスの調整を容易かつ低コストに行うことができる。
【発明を実施するための最良の形態】
【００１４】
図１において、電子内視鏡システム２は、電子内視鏡１０、プロセッサ装置１１、光源装置１２などから構成される。電子内視鏡１０は、体腔内に挿入される可撓性の挿入部１３と、挿入部１３の基端部分に連設された手元操作部１４と、プロセッサ装置１１及び光源装置１２に接続されるユニバーサルコード１５とを備えている。
【００１５】
挿入部１３の先端には、ＣＣＤ型固体撮像素子４０（以下、単にＣＣＤ４０と称す）（図３参照）を内蔵した先端部１６が連設されている。先端部１６の後方には、複数の湾曲駒を連結した湾曲部１７が設けられている。湾曲部１７は、手元操作部１４に設けられたアングルノブ１８が操作されて、挿入部１３内に挿設されたワイヤが押し引きされることにより、上下左右方向に湾曲動作する。これにより、先端部１６が体腔内の所望の方向に向けられる。
【００１６】
ユニバーサルコード１５の基端は、コネクタ１９に連結されている。コネクタ１９は、複合タイプのものであり、コネクタ１９にはプロセッサ装置１１が接続される他、光源装置１２が接続される。
【００１７】
プロセッサ装置１１は、ＣＣＤ４０から出力される画像を受信し、受信した画像に各種信号処理を施す。プロセッサ装置１１で処理が施された画像は、プロセッサ装置１１にケーブル接続された医療用モニタ２０に観察画像として表示される。プロセッサ装置１１には、医療用モニタ２０に代えて、パーソナルコンピュータ等に用いられる民生用モニタ２１が接続可能となっている。また、プロセッサ装置１１は、光源装置１２と電気的に接続され、電子内視鏡システム２の動作を統括的に制御する。
【００１８】
電子内視鏡１０の手元操作部１４には、注射針や高周波メスなどが先端に配された各種処置具が挿通される鉗子口２２の他、光源装置１２に内蔵された送気送水装置（図示せず）から供給される空気や洗浄水による送気送水を行うための送気送水ボタン２３などの操作ボタンが設けられている。また、プロセッサ装置１１の前面には、通常の撮像を行う「観察モード」と、民生用モニタ２１を用いた際に色バランスの検査を行うための「検査モード」との切り替えを行う操作ボタン等を含む各種操作ボタンを備えたフロントパネル２４が設けられている。
【００１９】
図２において、先端部１６の端面１６ａには、観察窓３０、照明窓３１、鉗子出口３２、及び送気送水用ノズル３３が設けられている。観察窓３０は、端面１６ａの片側中央に配置されている。照明窓３１は、観察窓３０に関して対称な位置に２個配され、体腔内の被観察部位に光源装置１２からライトガイド６５（図３参照）を介して導かれた照明光を照射する。鉗子出口３２は、挿入部１３内に配設された鉗子チャンネル（図示せず）に接続され、鉗子口２２に連通しており、鉗子口２２から挿入された処置具の先端が露出される。送気送水用ノズル３３は、送気送水ボタン２３の操作に応じて送気送水装置から供給される洗浄水や空気を、観察窓３０に向けて噴射する。
【００２０】
図３において、電子内視鏡１０の先端部１６には、ＣＣＤ４０が内蔵されており、ＣＣＤ４０は、観察窓３０に対向して設けられた対物レンズ４１の結像位置に配設されている。ＣＣＤ４０は、カラー撮像方式として単板同時方式が採用されたものであり、受光面には、複数の色セグメントからなるカラーフィルタ（例えば、ベイヤー配列の原色カラーフィルタ）が配置されている。
【００２１】
ＴＧ４２は、ＣＰＵ４３の制御に基づき、ＣＣＤ４０の駆動パルス（垂直／水平走査パルス、リセットパルス等）とアナログ信号処理回路（ＡＦＥ）４４用の同期パルスとを発生する。ＣＣＤ４０は、ＴＧ４２から入力される駆動パルスにより駆動され、対物レンズ４１を介して結像された光学像を光電変換して画像として出力する。
【００２２】
ＡＦＥ４４は、相関二重サンプリング（ＣＤＳ）回路、プログラマブルゲインアンプ（ＰＧＡ）、及びＡ／Ｄ変換器により構成されている。ＣＤＳ回路は、ＣＣＤ４０から出力された画像に対して相関二重サンプリング処理を施し、ＣＣＤ４０で生じるリセット雑音及びアンプ雑音の除去を行う。ＰＧＡは、ＣＤＳ回路によりノイズ除去が行われた画像を、ＣＰＵ４３から指定された所定の増幅率で増幅する。Ａ／Ｄ変換器は、ＰＧＡにより増幅された画像をデジタル化する。ＡＦＥ４４から出力されたデジタル形式の画像は、前述のコネクタ１９を介してプロセッサ装置１１内に入力される。
【００２３】
プロセッサ装置１１は、ＣＰＵ５０、ＲＡＭ５１、画像処理回路５２、画像表示制御回路５３、検査画像記憶メモリ５４、色バランス判定回路５５、アイソレータ５６、第１〜第３スイッチ回路５７ａ〜５７ｃを備えている。ＣＰＵ５０は、プロセッサ装置１１内の各部を制御するとともに、電子内視鏡システム２の全体を統括的に制御する。アイソレータ５６は、電子内視鏡１０をプロセッサ装置１１から絶縁分離するための絶縁分離素子である。ＡＦＥ４４から出力された画像は、アイソレータ５６を介して画像処理回路５２に入力される。
【００２４】
画像処理回路５２は、ＣＰＵ５０の制御に基づき、ＡＦＥ４４から入力された１フレーム分の画像に対し、色補間、色分離、色バランス調整、ガンマ補正、画像強調処理等の画像処理を施す。画像処理回路５２から出力された画像は、第１及び第２スイッチ回路５７ａ，５７ｂに入力される。ＣＰＵ５０は、ＲＡＭ５１に記憶された調整データに基づいて、画像処理回路５２に指示を与え、画像の色バランス調整を行う。
【００２５】
第１スイッチ回路５７ａは、３個の端子Ａ〜Ｃを有し、端子Ａを端子Ｂまたは端子Ｃに接続するスイッチ素子である。第１スイッチ回路５７ａの端子Ａには、画像表示制御回路５３が接続されており、端子Ｂには画像処理回路５２及び第２スイッチ回路５７ｂが接続されており、端子Ｃには第３スイッチ回路５７ｃ及び検査画像記憶メモリ５４が接続されている。
【００２６】
第２スイッチ回路５７ｂは、オン／オフスイッチであって、第１スイッチ回路５７ａの端子Ｂと色バランス判定回路５５との間に接続されている。第３スイッチ回路５７ｃは、オン／オフスイッチであって、第１スイッチ回路５７ａの端子Ｃと色バランス判定回路５５との間に接続されている。ＣＰＵ５０の制御に基づき、観察モード時には、第１スイッチ回路５７ａの端子Ａが端子Ｂに接続されるとともに、第２及び第３スイッチ回路５７ｂ，５７ｃはオフ状態とされる。
【００２７】
観察モード時には、画像処理回路５２から出力された画像は、第１スイッチ回路５７ａを介して画像表示制御回路５３に入力される。画像表示制御回路５３は、画像処理回路５２から入力された画像を、医療用モニタ２０に表示するための表示用信号に変換して、医療用モニタ２０に出力する。
【００２８】
第１〜第３スイッチ回路５７ａ〜５７ｃは、民生用モニタ２１を検査するための検査モード時には、ＣＰＵ５０の制御に基づき、後述する所定の順序で切り替えが行われる。
【００２９】
検査画像記憶メモリ５４は、図４に示すように、赤色（Ｒ）、緑色（Ｇ）、青色（Ｂ）に、白色（Ｗ）を加えた４色のカラーバーチャートとして表された検査画像５４ａを記憶している。この検査画像５４ａは、検査モード時における第１及び第３スイッチ回路５７ａ，５７ｃの切り替え制御により、画像表示制御回路５３及び色バランス判定回路５５に出力される。
【００３０】
検査モード時には、検査画像５４ａは、画像表示制御回路５３に出力され、民生用モニタ２１に表示される。民生用モニタ２１に表示された検査画像５４ａは、電子内視鏡１０により撮像される。このとき、図５に示すように、民生用モニタ２１の表示光以外の外光が電子内視鏡１０の先端部１６に入射しないように、三角錐状の遮光治具７０が嵌められ、民生用モニタ２１に表示された検査画像５４ａは、遮光治具７０により覆われる。民生用モニタ２１に表示された検査画像５４ａは、電子内視鏡１０内のＣＣＤ４０によって撮像され、ＡＦＥ４４によりアナログ信号処理が施された後、アイソレータ５６を介して画像処理回路５２に入力される。
【００３１】
色バランス判定回路５５は、第２スイッチ回路５７ｂを介して、画像処理回路５２から出力された画像を取得するとともに、第３スイッチ回路５７ｃを介して、検査画像記憶メモリ５４に記憶された検査画像５４ａを取得し、取得した両画像の色バランスを比較することにより、ホワイトバランスを含む色バランスのずれ量を算出する。この色バランスのずれ量は、色バランスを調整するための調整データとしてＣＰＵ５０に送出される。ＣＰＵ５０は、色バランス判定回路５５から送出された調整データをＲＡＭ５１に記録するとともに、ＲＡＭ５１に記録した調整データを参照して画像処理回路５２を制御し、画像の色バランスの調整を行う。
【００３２】
また、ＣＰＵ５０は、色バランス判定回路５５から送出された調整データが所定値（色バランスの調整が可能な最大値）より大きく、色バランスの調整が行えない場合には、画像表示制御回路５３を制御し、検査対象の民生用モニタ２１が使用不可能であることを示すメッセージを民生用モニタ２１に表示させる。このメッセージは、ユーザが視認できるように、民生用モニタ２１の画面上の遮光治具７０が取り付けられる部分以外の領域に表示させる。
【００３３】
また、ＣＰＵ５０は、プロセッサ装置１１の電源がオフとされた際に、ＲＡＭ５１内の調整データを消去し、調整データが常時使用されないようにする。
【００３４】
光源装置１２は、ＣＰＵ６０、光源６１、光源ドライバ６２、絞り機構６３、集光レンズ６４から構成されている。ＣＰＵ６０は、プロセッサ装置１１のＣＰＵ５０と通信し、光源ドライバ６２及び絞り機構６３の制御を行う。光源６１は、キセノンランプやハロゲンランプなどからなり、光源ドライバ６２により駆動制御される。絞り機構６３は、光源６１の光射出側に配置され、集光レンズ６４に入射される光量を増減させる。集光レンズ６４は、絞り機構６３を通過した光を集光して、光源装置１２に接続された電子内視鏡１０のライトガイド６５の入射端に導く。ライトガイド６５は、電子内視鏡１０の基端から先端部１６まで挿通され、出射端が前述の各照明窓３１に接続されている。なお、検査モード時には、光源６１の発光はオフとされる。
【００３５】
次に、以上のように構成された電子内視鏡システム２の作用を、図６のフローチャートを参照しながら説明する。電子内視鏡システム２を用いて体腔内を観察する際には、電子内視鏡１０、プロセッサ装置１１、光源装置１２、及び医療用モニタ２０の各電源をオンにして、電子内視鏡１０の挿入部１３を体腔内に挿入し、光源装置１２からの照明光で体腔内を照明しながら、ＣＣＤ４０により撮像される体腔内の観察画像を医療用モニタ２０で観察する。この観察モードでは、第２及び第３スイッチ回路５７ｂ，５７ｃがオフ状態とされ、第１スイッチ回路５７ａの端子Ａが端子Ｂに接続される。
【００３６】
医療用モニタ２０が故障し、プロセッサ装置１１に民生用モニタ２１を代替用として用いる場合に、この民生用モニタ２１の色バランスのチェックを行う際には、まず、図５に示すように、電子内視鏡１０の挿入部１３の先端部１６を遮光治具７０に挿入する。次いで、先端部１６の端面１６ａを民生用モニタ２１の画面に対向させた状態で、フロントパネル２４を操作し、検査モードとすることで検査が開始する（ステップＳ１でＹＥＳ判定）。
【００３７】
検査モードに入ると、まず、第１〜第３スイッチ回路５７ａ〜５７ｃのスイッチング状態が変更され、第１スイッチ回路５７ａの端子Ａが端子Ｃに接続されるとともに、第２及び第３スイッチ回路５７ｂ，５７ｃがオン状態となる（ステップＳ２）。これにより、検査画像記憶メモリ５４から第１スイッチ回路５７ａを介して画像表示制御回路５３に検査画像５４ａが出力され、その結果、民生用モニタ２１に検査画像５４ａが表示される（ステップＳ３）。また、このとき、検査画像記憶メモリ５４から第３スイッチ回路５７ｃを介して検査画像５４ａが色バランス判定回路５５に入力される。
【００３８】
民生用モニタ２１に表示された検査画像５４ａは、電子内視鏡１０内のＣＣＤ４０によって撮像され、ＡＦＥ４４によりアナログ信号処理が施された後、アイソレータ５６を介して画像処理回路５２に入力され、画像処理が施される（ステップＳ４）。このとき、画像処理回路５２により画像処理が施された画像は、第２スイッチ回路５７ｂを介して色バランス判定回路５５に入力される。
【００３９】
次いで、色バランス判定回路５５により、画像処理回路５２から入力された画像と、検査画像記憶メモリ５４から入力された検査画像５４ａとの色バランスの差異が比較され、色バランスのずれ量が算出される（ステップＳ５）。このとき算出された色バランスのずれ量は、色バランスを調整するための調整データとしてＣＰＵ５０に送出され、ＲＡＭ５１に記録される。ＣＰＵ５０は、色バランスのずれ量が所定値（色バランスの調整が可能な最大値）より大きいか否かを判定し（ステップＳ６）、ずれ量が所定値以下の場合には（ステップＳ６でＹＥＳ判定）、ＲＡＭ５１に記録された調整データを参照して画像処理回路５２を制御し、画像の色バランスの調整を行う（ステップＳ７）。一方、ずれ量が所定値より大きい場合には（ステップＳ６でＮＯ判定）、検査対象の民生用モニタ２１が使用不可能であることを示すメッセージ（例えば、「このモニタは使用不可能です。」といったメッセージ）が民生用モニタ２１に表示される（ステップＳ８）。
【００４０】
そして、プロセッサ装置１１の電源がオフとされた際に（ステップＳ９でＹＥＳ判定）、ＣＰＵ５０によりＲＡＭ５１内の調整データが消去される（ステップＳ１０）。
【００４１】
以上説明したように本発明では、画像処理回路５２により色バランスの調整を行うため、色バランスの調整機能が備わっていない民生用モニタ２１であっても容易に色バランスの調整を行うことができる。また、通常、画像処理回路５２は、病変部の色強調などの画像処理を行う機能を有しており、色バランスの調整機能が本質的に備わっているため、新たに色バランスの調整機能を付加する必要がなく、低コストに色バランス調整を行うことができる。
【００４２】
なお、上記実施形態では、民生用モニタ２１が使用不可能であると判断された場合にメッセージ表示を行っているが、民生用モニタ２１が使用可能であると判断された場合にもメッセージ表示を行っても良い。また、上記実施形態では、民生用モニタ２１の画面上にメッセージ表示を行っているが、フロントパネル２４等の他の報知手段を用いてメッセージの報知を行っても良い。さらに、電子内視鏡システム２に接続されたサーバーやプリンタ等の外部機器にメッセージを送出しても良い。
【００４３】
また、上記実施形態では、Ｒ，Ｇ，Ｂ，Ｗの４色のカラーバーチャートとして表された検査画像５４ａを検査画像記憶メモリ５４に記憶させているが、本発明はこれに限定されるものではなく、基準となる所定の色で表されたものであれば、いかなる検査画像を用いることも可能である。
【００４４】
また、検査画像は、カラーバーチャートのように、複数色を１枚のチャートに含めたものに限られず、複数枚の単色チャートで構成したものであっても良い。例えば、図７に示す検査画像８０は、Ｒ，Ｇ，Ｂ，Ｗの４枚の単色チャートで構成したものである。この場合には、単色チャートを１枚ずつ民生用モニタ２１に表示させながら、電子内視鏡１０による撮像とプロセッサ装置１１による色バランスの判定とを順に行えば良い。
【００４５】
また、上記実施形態では、医療分野において用いられる電子内視鏡を例に挙げてしているが、本発明はこれに限定されるものではなく、工業用等の内視鏡にも適用可能である。
【図面の簡単な説明】
【００４６】
【図１】電子内視鏡システムを示す外観図である。
【図２】電子内視鏡の先端部の端面を示す平面図である。
【図３】電子内視鏡システムの構成を示すブロック図である。
【図４】検査画像を示す平面図である。
【図５】遮光治具を示す模式図である。
【図６】検査モード時の作用を説明するフローチャートである。
【図７】検査画像の変形例を示す図である。
【符号の説明】
【００４７】
２  電子内視鏡システム
１０  電子内視鏡
１１  プロセッサ装置
２０  医療用モニタ
２１  民生用モニタ
２４  フロントパネル
４０  ＣＣＤ型固体撮像素子
５０  ＣＰＵ（制御手段）
５１  ＲＡＭ（調整データ記憶手段）
５２  画像処理回路（画像処理手段）
５３  画像表示制御回路（画像表示制御手段）
５４  検査画像記憶メモリ（検査画像記憶手段）
５４ａ  検査画像
５５  色バランス判定回路（色バランス判定手段）
５７ａ〜５７ｃ  第１〜第３スイッチ回路
７０  遮光治具
８０  検査画像
【図１】
2010051634.tif 000003
【図２】
2010051634.tif 000004
【図３】
2010051634.tif 000005
【図４】
2010051634.tif 000006
【図５】
2010051634.tif 000007
【図６】
2010051634.tif 000008
【図７】
2010051634.tif 000009